(57)【要約】【課題】ケーブルを結束した結束バンドを所望の箇所において破断することを可能にし、かつ結束の信頼性を向上した結束バンドを提供する。【解決手段】帯状をしたバンド部１と、バンド部１の基端に一体に設けられたロック部２を備え、バンド部１を先端側からロック部２に挿通し、バンド部１に設けた爪部１１をロック部２のロック爪２３に係合させてロックを行う結束バンドであって、バンド部１には爪部１１から所定寸法Ｌ２だけ離れた先端側の部位にバンド部１を引っ張り力によって破断することが可能な１つの破断部１３を備える。バンド部１を破断部１３において破断できるので、破断後に残されるバンド部１の長さを均一寸法Ｌ２にでき、結束の信頼性を向上する。【選択図】  図１
2013255295.tif 000002
【特許請求の範囲】
【請求項１】
帯状をしたバンド部と、このバンド部の基端に一体に設けられたロック部を備え、前記バンドを先端側から前記ロック部に挿通し、かつ当該バンド部に設けた爪部を前記ロック部に係合させてロックを行う結束バンドにおいて、前記バンド部には前記爪部から所定寸法だけ離れた先端側の部位に当該バンド部を引っ張り力によって破断することが可能な１つの破断部を備えていることを特徴とする結束バンド。
【請求項２】
前記破断部は前記バンド部を厚み方向に貫通する貫通穴を含むことを特徴とする請求項１に記載の結束バンド。
【請求項３】
前記破断部は前記貫通穴を含む部分の前記バンド部の肉厚寸法を低減させる凹溝を含んでいることを特徴とする請求項２に記載の結束バンド。
【請求項４】
前記バンド部には、前記破断部よりも先端側の部位に、当該先端部で仮ループを構成するための互いに掛合する第１掛合突起と第２掛合突起を備えていることを特徴とする請求項１ないし３のいずれかに記載の結束バンド。
【発明の詳細な説明】
【技術分野】
【０００１】
本発明はケーブルを結束するための結束バンドに関し、特に結束した際に長さの余るバンド部分を簡単にかつ所定の位置で破断することが可能な結束バンドに関するものである。
【背景技術】
【０００２】
結束バンドは複数本のケーブルを束ねるために、あるいは１本ないし複数本のケーブルを基板やシャーシ等に支持させるために用いられる。この種の結束バンドでは、確実な結束を行うためにバンド部の長さを結束に必要とされる寸法よりも長めに形成しているので、結束した後に余った部分を切断することが好ましい。このようなバンド部の切断を行うために従来では専用の工具や、ニッパー等の汎用工具を用いているが、いずれの場合も素手で結束を行った直後に専用工具や汎用工具を保持した上で切断作業を行わなければならず、作業性が悪いという問題がある。この問題を解消するために、特許文献１では、バンド部の長さ方向に沿って複数の切り込みを形成しておき、結束を行った後にハンド部を引っ張ることによってその引っ張り力で切り込みの部分においてバンド部を破断する技術が提案されている。この技術によれば、素手でバンド部が切断できるので専用工具や汎用工具が不要になり作業性を向上することができる。
【先行技術文献】
【特許文献】
【０００３】
【特許文献１】特開平１０−２８１３４７号公報
【発明の概要】
【発明が解決しようとする課題】
【０００４】
特許文献１の技術は、バンド部に複数の切り込みを設け、破断時に１つの切り込みを選択して破断することを行うように構成しているが、バンド部を引っ張ったときにバンド部に生じる引っ張り力はバンド部の長さ方向の各部に均一に生じるので、単にバンド部を引っ張るのみでは破断される切り込み箇所が特定されず、所望の箇所においてバンド部を破断することが難しい。そのため、所望の箇所で破断を行うためには引っ張る操作の他にバンド部を所望の箇所において曲げる等の特別な作業が必要になる。また、破断する箇所が特定されないと破断したバンド部の余り部分の長さが不揃いになり易く、外観の見栄え上からも好ましくない。さらに、特許文献１の技術はバンド部を係止爪に係合させるための係合溝を当該バンド部の長い領域にわたって形成するとともに、複数の切り込みは当該係合溝の裏面側に形成しているので、係合溝によってバンド部の肉厚が増大されている部分に切り込みが形成されることになる。そのため、切り込み寸法が小さいと切り込みによる破断が難しくなり、逆に切り込み寸法を大きくすると結束後の状態においてもバンド部が破断され易くなり、結束ケーブルによる結束の信頼性が低下してしまう。
【０００５】
本発明の目的は、所望の箇所においてバンド部を破断することを可能にするとともに、破断を容易にし、しかもその一方で結束の信頼性を向上した結束バンドを提供するものである。
【課題を解決するための手段】
【０００６】
本発明の結束バンドは、帯状をしたバンド部と、このバンド部の基端に一体に設けられたロック部を備え、バンドを先端側からロック部に挿通し、かつ当該バンド部に設けた爪部をロック部に係合させてロックを行う結束バンドであって、バンド部には爪部から所定寸法だけ離れた先端側の部位に当該バンド部を引っ張り力によって破断することが可能な１つの破断部を備えていることを特徴としている。この破断部の構成として、バンド部を厚み方向に貫通する貫通穴を含む構成とする。さらには、破断部は貫通穴を含む部分のバンド部の肉厚寸法を低減させる凹溝を含む構成とする。
【０００７】
本発明において、バンド部には、破断部よりも先端側の部位に、当該先端部で仮ループを構成するための互いに掛合する第１掛合突起と第２掛合突起を備えることが好ましい。
【発明の効果】
【０００８】
本発明によれば、バンド部をロック部においてロックしてケーブル等の結束を行った後に、さらにバンド部を引っ張ることによりバンド部を破断部において破断することができる。破断部はバンド部の爪部、すなわちロック部にロックされる部分から所定寸法の位置に１つだけ設けられているので、必ずこの破断部において破断することができる。これにより破断されたバンド部は常にロック部にロックされた箇所から所定寸法だけ残された状態になり、破断後の結束状態にある結束バンドの外観上の見栄えが向上する。また、破断した後のバンド部には他の破断部が存在しないので、結束状態の結束バンドにおける結束の信頼性が向上できる。特に、破断部を貫通穴、さらには凹溝を含む構成とすることで、破断を容易に行うことができる。さらに、バンド部の先端側に設けた第１及び第２の掛合突起を利用して仮ループを構成することによりバンド部を引っ張り易くし、バンド部の破断を容易に行うこともできる。
【図面の簡単な説明】
【０００９】
【図１】本発明の結束バンドの実施形態の外観斜視図。
【図２】爪部と破断部を拡大した表面図とＢ−Ｂ線断面図。
【図３】結束状態と破断状態を示す外観斜視図。
【図４】破断されたバンド部の残り長さを説明するための断面図。
【図５】引っ張り力を大きくする際の操作を説明する斜視図と一部の拡大側面図。
【図６】破断部の他の例を示す拡大表面図。
【発明を実施するための形態】
【００１０】
次に本発明の実施形態を説明する。図１は本発明の結束バンドの外観斜視図である。薄肉で細長い帯状をしたバンド部１と、このハンド部１の基端に一体化されているロック部２とを備えており、これらバンド部１とロック部２は弾性を有する樹脂の一体成形によって形成されている。ロック部２には前記バンド部１を先端側から挿通することができる挿通穴２１が開口されるとともに、この挿通穴２１の表面側の部位（ここでは、図１において上側の面を表面、下側の面を裏面と称することにする）には前記挿通穴２１に臨んで片持ち舌片状のロック片２２が設けられている。このロック片２２の裏面の先端には断面が鋸歯状をした３つのロック爪２３が配設されており、後述するバンド部１の爪部１１に係合してバンド部１をロックすることが可能とされている。
【００１１】
前記バンド部１は先端１ａが前記ロック部２の挿通穴２１に挿通し易くするために先細り形状とされているとともに、前記ロック部２に連結された部分から後述する長さ寸法Ｌ１だけ離れた位置の表面一部に爪部１１が設けられている。図２（ａ），（ｂ）はバンド部１の一部を拡大した表面図とそのＢ−Ｂ線断面図であり、前記爪部１１は断面が鋸歯状をした数個の爪１２をバンド長さ方向に配列したものであり、ここでは８個の爪１２を配列し、バンド部１の長さ方向に沿った長さをＬ３に設定している。また、前記バンド部１には、前記爪部１１の長さ方向の中央位置から所定寸法Ｌ２だけ先端側に寄った箇所に１つの破断部１３が設けられている。この破断部１３は当該バンド部１の幅方向に細長くかつバンド部１を厚み方向に貫通した貫通穴１４を有しており、この貫通穴１４の両端に残されている連結部１４ａによってのみバンド部１の基端側と先端側が連結された構成となっている。また、この実施形態では前記貫通穴１４と厚み方向に重なる部位にバンド部１の表面を全幅寸法にわたって凹設した凹溝１５が設けられている。この凹溝１５の断面形状は表面に向けてコ字状をしているが、基端側の側面１５ａはバンド部１の表面に対して直角に近い角度の立面として形成され、先端側の側面１５ｂは緩やかな角度で傾斜された傾斜面ないしは曲面として形成されている。
【００１２】
さらに、図１において、前記バンド部１の先端側領域の裏面一部には楔状をした第１掛合突起１６が設けられるとともに、この第１掛合突起１６よりも所定長さだけ基端側の裏面一部には同様に楔状をした第２掛合突起１７が設けられている。また、これら第１掛合突起１６と第２掛合突起１７のバンド部の長さ方向の中間領域の表面には所要間隔をおいて一対の曲げ凹溝１８が形成されている。これらの曲げ凹溝１８の長さ方向の間隔寸法は適宜であるが、各曲げ凹溝１８の長さ方向の溝幅はバンド部１を表面側に直角に近い角度まで曲げ変形することが可能な可撓性を得ることができる溝幅寸法に形成されている。
【００１３】
ここで、本発明の結束バンドは、ケーブルを結束する際にバンド部１で構成されるループの径寸法（以下、結束径寸法と称する）が固有の結束径寸法となるように前記ロック部２から爪部１１までの寸法Ｌ１を当該結束径寸法に対応した長さ寸法に設定している。したがって、結束するケーブルの結束径寸法の違いに対応できるようにロック部２から爪部１１までの寸法Ｌ１が異なる複数規格の結束バンドを製造する。その一方で、異なる規格の結束バンドでも、バンド部１の爪部１１の長さ方向の中央位置から破断部１３までの寸法Ｌ２については所定寸法として全ての結束バンドで同じ寸法に製造している。また、バンド部１の爪部１１部から先端１ａまでの長さも各規格の結束バンドにおいて同じ寸法にしている。これのような結束バンドの規格の違いを見分けるために、例えばロック部２やバンド部１に当該結束バンドでの好適な結束径寸法を表示するための刻印を施し、あるいは結束バンドを異なる色の樹脂で形成するようにしてもよい。
【００１４】
この結束バンドによれば、図３（ａ）及び図４（ａ）のように、ケーブルＣを結束する際には、これまでの結束バンドと同様にバンド部１の表面が内周側となるようにしてケーブルＣの回りに回し込んだ上で、バンド部１の先端をロック部２の挿通穴２１に挿通させ、さらに先端部を引っ張ってバンド部１でケーブルＣを緊縛する。なお、図３，４，５においてはケーブルＣとバンド部１との間に隙間が生じている図になっているが、実際にはバンド部１はケーブルＣの周面に密接されるものである。この緊縛により爪部１１は一部の爪１２がロック部２のロック爪２３に係合し、バンド部１がロック部２から反対方向に抜け出されることが防止されてケーブルＣの結束が行われる。結束後になおもバンド部１を先端側から引っ張り続けると、バンド部１に加えられる長さ方向の引っ張り力が増大され、この引っ張り力によって図３（ｂ）及び図４（ｂ）のように、バンド部１は破断部１３において破断される。したがって、素手でケーブルＣの緊縛とバンド部１の破断が可能であり、工具を持つための手間が不要となり作業の容易化及び迅速化が可能になる。また、バンド部１の破断部１３は爪部１１の長さ方向の中央位置から所定寸法Ｌ２の位置に設けられており、爪部１１はロック爪２３に係合された状態にあるので、ロック部２から飛び出ているバンド部１の長さはほぼ均一となる。したがって、この飛び出ている長さが不揃いになることはなく、この長さが長すぎて結束状態の外観上の見栄えが低下するようなこともない。あるいは、当該長さが短くなりすぎてロック部２でのロックが外れ易くなってしまうようなこともなく結束の信頼性が向上できる。このことは、結束径寸法が異なる規格の結束バンドにおいても、爪部１１から破断部１３までの所要寸法Ｌ２は全て同じであるので同様に外観上の見栄えの向上や結束の信頼性の向上か得られる。
【００１５】
ここで、爪部１１を構成する爪１２の数を多くして爪部１１の長さを十分に長く形成しておけば、ケーブルＣを緊縛する位置で爪部１１をロック爪２３に係合させることができるが、この場合には爪部１１がロック爪２３に係合される位置は複数の爪１２のいずれかの位置になり、特定されなくなるので、破断したバンド部１がロック部２から飛び出している長さのばらつきが大きくなる。この実施形態においては、図４（ａ），（ｂ）から判るように、爪部１１を構成している爪１２の数が８つと少なくて爪部１１の長さＬ３は従来の結束バンドに比較して短く、しかもロック爪２３は爪部１１の寸法Ｌ３の範囲内において爪１２に係合されるので、ロック爪２３との係合が行われる長さ方向のずれ寸法は爪部１１の長さ寸法であるＬ３以下であり、したがって、ロック部２から飛び出されているバンド部１の長さはロック爪２３との係合位置からほぼＬ２±Ｌ３／２の長さであり、ほぼ均一なものにできる。
【００１６】
バンド部１の破断に際しては、引っ張り力によって破断部１３の貫通穴１４の両端の細い連結部１４ａが裂断されることになるが、図２（ｂ）に示したように破断部１３の凹溝１５の基端側の側面１５ａが直角に近い面で、先端側の側面１５ｂが緩やかな傾斜面であるので、引っ張り力は基端側の側面１５ａに集中されることなり、この基端側の側面１５ａにおいて裂けるように破断されることになる。そのため、バンド部１の残された部分の端部に連結部１４ａの一部が突起（破断バリ）として残るようなことはなく、当該突起によって作業者が手を切るような事故が生じることもない。
【００１７】
また、結束ないし破断を行う際には、作業者がバンド部１の先端側を摘んで引っ張ることなるが、摘んだときに手が滑って十分な引っ張り力を加えることが難しい場合がある。このような場合には、図５（ａ），（ｂ）に斜視図と拡大側面図を示すように、２つの曲げ溝１８においてバンド部１の先端部を図１の裏面側に折り曲げて第１掛合突起１６を第２掛合突起１７に掛合させることにより、当該先端部に仮ループを構成することができる。その上で、形成された仮ループに指を差し入れて引っ張ることで、仮ループに指が引っ掛かり、十分な引っ張り力を加えることができる。例えば、図５（ｂ）のように、親指Ｆ１と人差し指Ｆ２で先端部を摘んで表面側（図５の場合は上側）に曲げて両掛合突起１６，１７を掛合して仮ループを形成した後は、親指Ｆ１と中指Ｆ３でバンド部１を挟んで両掛合突起１６，１７の掛合状態を保持させる。そして、仮ループ内に入り込んでいる人差し指Ｆ２を仮ループに引っかけて先端部を引っ張るようにする。これにより、片手で仮ループを形成すること及び引っ張り力を加えることも可能になり、ケーブルＣを緊縛することはもとより、バンド部１の破断も容易に行うことができる。
【００１８】
実施形態では、破断部１３を貫通穴１４と凹溝１５で構成しているが、図６のように貫通穴１４と、バンド部１の両側からのテーパ状の切り込み１４Ａによって破断部１３を構成してもよい。このようにすれば、バンド部１に加えられた引っ張り力によって貫通穴１４の両側の連結部１４ａを裂断することができるとともに、バンド部１を厚み方向に捻じることによって両切り込み１４Ａに生じる剪断力によって連結部１４ａを破断することも可能である。この構成では、引っ張り力に対する破断部１３の耐力を大きくしてケーブルＣの緊縛時における引っ張り力で破断部１３が破断されることを防止する一方で、緊縛時には生じることがない捩じり力をバンド部１に加えることで簡単に破断を行うことが可能になる。さらに、図示は省略するが、貫通穴、凹溝、切り込みを適宜組み合わせることによってより好ましい破断部を構成することも可能である。いずれの場合でも、ケーブルを結束する際の緊縛力では破断が生じることがなく、それよりも大きな引っ張り力が加えられたとき、あるいは他の方向の力が加えられたときに破断されるように構成すればよい。これにより、ケーブルの結束作業を容易化する一方でケーブルの結束状態の信頼性を高めることも可能になる。
【００１９】
実施形態では爪部１１は８個の爪１２で構成し、ロック爪２３は３個の爪で構成しているが、この数に限定されるものではなく任意の数の爪で構成できる。例えば、この結束バンドではケーブルＣの緊縛時に爪部１１がロック爪２３を乗り越えて先端側に移動した場合でも、緊縛を解除してバンド部１が弾性復帰力によって基端側に戻されたたときに爪部１１がロック爪２３に係合してロック状態とすることができるので、爪部１１を単一の爪で構成するようにしてもよい。爪部１１を単一の爪で構成することにより、バンド部１を破断部１３において破断したときにロック部２から飛び出すバンド部１の寸法を爪部１１から破断部１３までの所定寸法Ｌ２に均一化することができ、外観上のさらなる見栄えの向上に有効である。
【００２０】
本発明の結束バンドは、少なくともバンド部とロック部を備えていればよいので、例えばロック部を基板やシャーシに対して固定するためのファスナ部をロック部に一体的に設けている構成の結束バンドに適用することも可能である。
【産業上の利用可能性】
【００２１】
本発明はバンド部に設けた爪部をロック部においてロックしてケーブルを結束し、かつバンド部の余った部分を切断して除去するように構成された結束バンドに適用できる。
【符号の説明】
【００２２】
１  バンド部
２  ロック部
１１  爪部
１２  爪
１３  破断部
１４  貫通穴
１４Ａ  切り込み
１５  凹溝
１６  第１掛合突起
１７  第２掛合突起
１８  曲げ溝
２１  挿通穴
２２  ロック片
２３  ロック爪
【図１】
2013255295.tif 000003
【図２】
2013255295.tif 000004
【図３】
2013255295.tif 000005
【図４】
2013255295.tif 000006
【図５】
2013255295.tif 000007
【図６】
2013255295.tif 000008